(57)【要約】【課題】ユーザが意図する表面効果を得ること、および用紙表面の凹凸を平滑化すること。【解決手段】印刷制御装置は、画像データを生成する印刷制御装置であって、記録媒体に付与する表面効果の種類と前記表面効果を付与する前記記録媒体における領域とを特定する光沢制御版データとに基づいて、前記画像データを生成するユニットであって、複数回の定着指示がある場合、１回目はクリアトナーのみを定着させるための前記画像データを生成する画像データ生成部、を備えた。【選択図】図１０
2014199410.tif 000002
【特許請求の範囲】
【請求項１】
画像データを生成する印刷制御装置であって、
記録媒体に付与する表面効果の種類と前記表面効果を付与する前記記録媒体における領域とを特定する光沢制御版データとに基づいて、前記画像データを生成するユニットであって、複数回の定着指示がある場合、１回目はクリアトナーのみを定着させるための前記画像データを生成する画像データ生成部、
を備えた印刷制御装置。
【請求項２】
前記記録媒体の属性情報に基づいて、前記記録媒体に対するトナーを複数回定着可能か否かを判定する定着条件判定部をさらに備え、
前記画像データ生成部は、前記定着条件判定部により複数回定着可能と判断された場合、光沢度を上げる表面効果を施す領域に対し、１回目は用紙にクリアトナーのみを定着させるための前記画像データを生成する、
請求項１に記載の印刷制御装置。
【請求項３】
前記画像データ生成部は、前記定着条件判定部により、複数回定着可能と判断された場合、２回目以降は有色トナーおよびクリアトナーのうち、少なくとも１色以上のトナーを定着させるための前記画像データを生成する、
請求項２に記載の印刷制御装置。
【請求項４】
前記画像データ生成部は、前記定着条件判定部が複数回定着不可能と判断した場合、１回の定着で有色トナーおよびクリアトナーのうち、少なくとも１色以上のトナーを定着させるための前記画像データを生成する、
請求項１に記載の印刷制御装置。
【請求項５】
定着装置の定着温度を取得する定着温度取得部と、
前記定着温度に基づいて、前記画像データの出力を制御する出力制御部と、をさらに備え、
前記定着条件判定部は、さらに、前記定着温度がクリアトナーの定着温度以上であるか否かを判定し、
前記出力制御部は、複数回定着可能と判断された場合であって、かつ前記定着温度がクリアトナーの定着温度以上であると判断された場合に、前記画像データ生成部によって生成された、前記光沢度を上げる表面効果を施す領域に対して１回目は用紙にクリアトナーのみを定着させるための前記画像データを出力する、
請求項３に記載の印刷制御装置。
【請求項６】
前記定着条件判定部は、さらに、前記定着温度が有色トナーの定着温度以上であるか否かを判定し、
前記出力制御部は、前記定着温度が有色トナーの定着温度以上であると判断された場合に、前記画像データ生成部によって生成された、２回目以降は有色トナーを定着させるための前記画像データを出力する、
請求項５に記載の印刷制御装置。
【請求項７】
前記画像データの印刷に対する課金処理であって、１回目は用紙にクリアトナーのみを定着させるための前記画像データに基づく印刷に対する課金処理を行う課金算出部、
をさらに備えた請求項１に記載の印刷制御装置。
【請求項８】
前記課金算出部は、ユーザからの指示があった場合に、１回目は用紙にクリアトナーのみを定着させるための前記画像データに基づく印刷に対する課金処理を行う、
請求項７に記載の印刷制御装置。
【請求項９】
前記記録媒体に対し、トナーを複数回定着させるか否かの指定を受け付ける入力制御部、
をさらに備えた請求項１に記載の印刷制御装置。
【請求項１０】
前記クリアトナーの濃度値に応じて前記表面効果の種類が登録された表面効果選択情報を記憶する表面効果選択テーブル記憶部をさらに備え、
前記光沢制御版データは、前記表面効果を付与する前記記録媒体における領域に、前記表面効果に対応する濃度値が付与されており、
前記画像データ生成部は、前記表面効果選択情報と、前記光沢制御版データとに基づいて、前記画像データを生成する、
請求項１に記載の印刷制御装置。
【請求項１１】
画像データを生成する印刷制御システムであって、
記録媒体に付与する表面効果の種類と前記表面効果を付与する前記記録媒体における領域とを特定する光沢制御版データとに基づいて、前記画像データを生成するユニットであって、複数回の定着指示がある場合、１回目はクリアトナーのみを定着させるための前記画像データを生成する画像データ生成部、
を備えた印刷制御システム。
【請求項１２】
画像データを生成する印刷制御方法であって、
記録媒体に付与する表面効果の種類と前記表面効果を付与する前記記録媒体における領域とを特定する光沢制御版データとに基づいて、前記画像データを生成し、
複数回の定着指示がある場合、１回目はクリアトナーのみを定着させるための前記画像データを生成する、
ことを含む印刷制御方法。
【請求項１３】
画像データを生成するコンピュータに実行させるためのプログラムであって、
記録媒体に付与する表面効果の種類と前記表面効果を付与する前記記録媒体における領域とを特定する光沢制御版データとに基づいて、前記画像データを生成し、
複数回の定着指示がある場合、１回目はクリアトナーのみを定着させるための前記画像データを生成する、
ことを前記コンピュータに実行させるためのプログラム。
【発明の詳細な説明】
【技術分野】
【０００１】
本発明は、印刷制御装置、印刷制御システム、印刷制御方法およびプログラムに関する。
【背景技術】
【０００２】
従来、Ｃ（シアン）、Ｍ（マゼンタ）、Ｙ（イエロー）、Ｋ（ブラック）の４色のトナーの他に、色材が入っていない無色のトナーであるクリアトナーを搭載した画像形成装置が存在する。このようなクリアトナーにより形成されたトナー像は、ＣＭＹＫのトナーにより画像が形成された転写紙等の記録媒体上に定着され、この結果記録媒体の面において視覚的な効果や触覚的な効果（以下、「表面効果」という。）が実現される。
【０００３】
クリアトナーにどのようなトナー像を形成してどのような定着をさせるかによって、実現される表面効果が異なる。単純に光沢を与える表面効果もあれば、光沢を抑制する表面効果もある。また、全面に表面効果を与えるだけでなく、一部だけに表面効果を与えたり、クリアトナーによりテクスチャやウォータマークをつけたりする表面効果も求められている。また、表面保護を求める場合もある。
【０００４】
また、定着制御のほか、グロッサや低温定着機などの専用の後処理機によって後処理を行うことで実現できる表面効果もある。近年では、例えば特許文献１に開示されているように、表面の一部の中でも望ましい部分にのみクリアトナーを付着させて光沢を与える技術が開発されている。
【０００５】
また、特許文献２には、ユーザが希望する印刷効果を実現する目的で、印刷効果を実現するための紙種、透明フォーム画像データ、印刷出力方法を自動的に設定し、印刷出力する画像形成装置の技術が開示されている。
【発明の概要】
【発明が解決しようとする課題】
【０００６】
しかしながら、このような従来の光沢制御技術では、指定した領域の光沢度を上げるための表面効果を施す際に、用紙表面の平滑性が求められるので、用紙表面の凹凸が大きい場合は、ユーザが意図した表面効果が得られないという問題があった。
【０００７】
本発明は、上記に鑑みてなされたものであって、光沢度を上げる表面効果を施す指定の領域に対して、用紙表面の凹凸が大きい場合でも、ユーザが意図する表面効果を得ることができ、光沢度を上げる表面効果を施す指定の領域がない場合でも、用紙表面の凹凸が大きい場合に用紙表面の凹凸を平滑化することができる印刷制御装置、印刷制御システム、印刷制御方法およびプログラムを提供することを目的とする。
【課題を解決するための手段】
【０００８】
上述した課題を解決し、目的を達成するために、本発明にかかる印刷制御装置は、画像データを生成する印刷制御装置であって、記録媒体に付与する表面効果の種類と前記表面効果を付与する前記記録媒体における領域とを特定する光沢制御版データとに基づいて、前記画像データを生成するユニットであって、複数回の定着指示がある場合、１回目はクリアトナーのみを定着させるための前記画像データを生成する画像データ生成部、を備えた。
【発明の効果】
【０００９】
本発明によれば、光沢度を上げる表面効果を施す指定の領域に対して、用紙表面の凹凸が大きい場合でも、ユーザが意図する表面効果を得ることができ、光沢度を上げる表面効果を施す指定の領域がない場合でも、用紙表面の凹凸が大きい場合に用紙表面の凹凸を平滑化することができるという効果を奏する。
【図面の簡単な説明】
【００１０】
【図１】図１は、実施形態１に係る画像形成システムの構成を例示する図である。
【図２】図２は、有色版の画像データの一例を示す図である。
【図３】図３は、光沢の有無に関する表面効果の種類を例示する図である。
【図４】図４は、この光沢制御版の画像データをイメージとして示した図である。
【図５】図５は、クリア版の画像データの一例を示す図である。
【図６】図６は、濃度値選択テーブルの一例を示す図である。
【図７】図７は、図４の光沢制御版の画像データにおいて、描画オブジェクト、座標、濃度値との対応関係を示す図である。
【図８】図８は、印刷データの構成例を概念的に示す模式図である。
【図９】図９は、ＤＦＥの機能的構成を例示する図である。
【図１０】図１０は、実施形態１のクリアプロセッシングの機能的構成を例示する図である。
【図１１】図１１は、表面効果選択テーブルのデータ構成を例示する図である。
【図１２】図１２は、用紙リストの一例を示す図である。
【図１３】図１３は、印刷設定の入力画面の一例を示す図である。
【図１４】図１４は、ＭＩＣおよび印刷装置の構成を概念的に例示する図である。
【図１５】図１５は、プリンタ機の機能的構成を示すブロック図である。
【図１６】図１６は、実施形態１の画像形成システムが行う光沢制御処理の手順を示すフローチャートである。
【図１７】図１７は、クリアプロセッシングによる画像処理の手順を示すフローチャートである。
【図１８】図１８は、第１クリアトナー版データ生成処理の手順を示すフローチャートである。
【図１９】図１９は、第２クリアトナー版データ生成処理の手順を示すフローチャートである。
【図２０】図２０は、表面効果を付与するためのクリアトナー版データが生成された場合の印刷処理の手順を示すフローチャートである。
【図２１】図２１は、用紙表面の平滑化のためのクリアトナー版データが生成された場合の印刷処理の手順を示すフローチャートである。
【図２２】図２２は、実施形態２にかかるＤＦＥの機能的構成を示すブロック図である。
【図２３】図２３は、実施形態２の出力制御処理の手順を示すフローチャートである。
【図２４】図２４は、実施形態２の出力制御処理の手順を示すフローチャートである。
【図２５】図２５は、実施形態２の印刷用紙のセット指示画面の一例を示す図である。
【図２６】図２６は、実施形態２の課金設定画面の一例を示す図である。
【図２７】図２７は、実施形態３に係る画像形成システムの構成を例示する図である。
【図２８】図２８は、実施形態３にかかるサーバ装置の機能的構成を示すブロック図である。
【図２９】図２９は、実施形態３のＤＦＥの機能的構成を示すブロック図である。
【図３０】図３０は、実施形態３にかかるクリアトナー版の生成処理の全体の流れを示すシーケンス図である。
【図３１】図３１は、クラウド上に２つのサーバを設けたネットワーク構成図である。
【図３２】図３２は、ホスト装置、ＤＦＥ、サーバ装置のハードウェア構成図である。
【発明を実施するための形態】
【００１１】
以下に添付図面を参照して、印刷制御装置、印刷制御システム、印刷制御方法およびプログラムの実施形態を詳細に説明する。
【００１２】
（実施形態１）
まず、実施形態１に係る画像形成システムの構成について図１を用いて説明する。本実施形態においては、画像形成システムは、プリンタ制御装置（DFE:Digital  Front  End）５０（以下、「ＤＦＥ５０」という。）と、インタフェースコントローラ(MIC:Mechanism  I/F  Controller)６０（以下、「ＭＩＣ６０」という。）と、プリンタ機７０と、後処理機としてグロッサ８０及び低温定着機９０とが接続されて構成される。ＤＦＥ５０は、ＭＩＣ６０を介してプリンタ機７０と通信を行い、プリンタ機７０での画像の形成を制御する。また、ＤＦＥ５０には、ＰＣ(Personal  Computer)等のホスト装置１０が接続され、ＤＦＥ５０は、ホスト装置１０から画像データを受信して、当該画像データを用いて、プリンタ機７０がＣＭＹＫの各トナー及びクリアトナーに応じたトナー像を形成するための画像データを生成してこれをＭＩＣ６０を介してプリンタ機７０に送信する。プリンタ機７０には、ＣＭＹＫの各トナーとクリアトナーとが少なくとも搭載されており、各トナーに対して感光体、帯電器、現像器及び感光体クリーナを含む作像ユニット、露光器及び定着機が各々搭載されている。
【００１３】
なお、プリンタ機７０と、グロッサ８０および低温定着機９０とで印刷装置３０を構成している。
【００１４】
ここで、クリアトナーとは、色材を含まない透明な（無色の）トナーである。なお、透明（無色）とは、例えば、透過率が７０％以上であることを示す。
【００１５】
プリンタ機７０は、ＭＩＣ６０を介してＤＦＥ５０から送信された画像データに応じて、露光器から光ビームを照射して各トナーに応じたトナー像を感光体上に形成して、これを記録媒体としての用紙に転写しこれを定着機によって所定の範囲内の温度（通常温度）での加熱及び加圧で定着させる。これによって用紙に画像が形成される。このようなプリンタ機７０の構成については周知であるため、ここでその詳細な説明を省略する。なお、用紙は記録媒体の一例であり、記録媒体としてはこれに限定されるものではない。例えば、記録媒体として、合成紙やビニール紙等も適用することができる。
【００１６】
グロッサ８０は、ＤＦＥ５０から指定されるオンオフ情報によりオン又はオフが制御され、オンにされた場合に、プリンタ機７０により用紙に形成された画像を高温及び高圧で加圧し、その後、冷却して本体から画像が形成された用紙を剥離する。これにより用紙に形成された画像全体において所定以上のトナーが付着した各画素のトナーの総付着量は均一に圧縮される。低温定着機９０には、クリアトナー用の感光体、帯電器、現像器および感光体クリーナを含む作像ユニット、露光器及び当該クリアトナーを定着させるための定着機が搭載されており、低温定着機９０を用いるためにＤＦＥ５０が生成した後述のクリアトナー版の画像データ（以下、「クリアトナー版データ」という場合もある。）が入力される。低温定着機９０は、当該低温定着機９０が用いるためのクリアトナー版データをＤＦＥ５０が生成した場合にはこれを用いてクリアトナーによるトナー像を形成して、グロッサ８０が加圧した用紙上に当該トナー像を重ねて、定着機によって通常よりも低い加熱または加圧で用紙に定着させる。
【００１７】
ここで、ホスト装置１０から入力される画像データ（原稿データ）について説明する。ホスト装置１０では、予めインストールされた画像処理アプリケーションにより画像データが生成されて、ＤＦＥ５０に送信される。このような画像処理アプリケーションでは、ＲＧＢ版やＣＭＹＫ版などの各色版における各色の濃度の値（「濃度値」という。）を画素毎に規定した画像データに対して、特色版の画像データを取り扱うことが可能である。特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００１８】
本実施形態では、この特色としてのクリアトナーを、用紙に付与する視覚的または触覚的な効果である表面効果を形成するため、および、用紙に、上記表面効果以外のウォータマークやテクスチャ等の透明画像を形成するために用いる。
【００１９】
このため、ホスト装置１０の画像処理アプリケーションは、入力された画像データに対して、有色版の画像データ（以下、「有色版データ」という場合もある。）の他、特色版の画像データとして、ユーザの指定により、光沢制御版の画像データ（以下、「光沢制御版データ」という場合もある。）および／またはクリア版の画像データ（以下、「クリア版データ」という場合もある。）を生成する。
【００２０】
ここで、有色版データとは、画素毎にＲＧＢやＣＭＹＫ等の有色の濃度値を規定した画像データである。この有色版データでは、ユーザによる色の指定により、１画素を８ビットで表現される。図２は、有色版データの一例を示す説明図である。図２において、「Ａ」、「Ｂ」、「Ｃ」等の描画オブジェクトごとにユーザが画像処理アプリケーションで指定した色に対応する濃度値が付与される。
【００２１】
また、光沢制御版データとは、用紙に付与する視覚的または触覚的な効果である表面効果に応じたクリアトナーを付着させる制御を行うため、当該表面効果の与えられる領域および当該表面効果の種類を特定した画像データである。
【００２２】
この光沢制御版は、ＲＧＢやＣＭＹＫ等の有色版と同様に画素毎に８ビットで「０」〜「２５５」の範囲の濃度値で表され、この濃度値に、表面効果の種類が対応付けられる（濃度値は１６ビットや３２ビット、または０〜１００％で表してもよい。）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版によって、表面効果の種類と、表面効果を与える領域とが表される（領域を表すデータを別途付与しても良い。）。
【００２３】
ここで、ホスト装置１０は、ユーザが画像処理アプリケーションにより指定した描画オブジェクトに対する表面効果の種類を、描画オブジェクトごとに光沢制御値としての濃度値として設定してベクタ形式の光沢制御版データを生成する。
【００２４】
この光沢制御版データを構成する各画素は、有色版データの画素に対応する。尚、各画像データにおいては各画素の表す濃度値が画素値となる。また、有色版データ及び光沢制御版データは共にページ単位で構成される。
【００２５】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００２６】
鏡面光沢やベタ光沢は、光沢を与える度合いが高く、逆に、網点マットやつや消しは、光沢を抑えるためのものであり、特に、つや消しは、通常の用紙が有する光沢度より低い光沢度を実現するものである。同図中において、鏡面光沢はその光沢度Ｇｓが８０以上、べた光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。尚、処理対象の画像データによって表される画像のどの領域に表面効果を与えるのかやその領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザが指定した表面効果に対応する濃度値がセットされることにより、光沢制御版データが生成される。濃度値と表面効果の種類との対応関係については後述する。
【００２７】
図４は、光沢制御版データの一例を示す説明図である。図４の光沢制御版の例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値は、後述の濃度値選択テーブル（図６参照）で、表面効果の種類に対応して定められた濃度値である。
【００２８】
クリア版データとは、上記表面効果以外のウォータマークやテクスチャ等の透明画像を特定した画像データである。図５は、クリア版データの一例を示す説明図である。図５の例では、ユーザにより、ウォータマーク「Ｓａｌｅ」が指定されている。
【００２９】
このように、特色版の画像データである、光沢制御版データおよびクリア版データは、ホスト装置１０の画像処理アプリケーションにより、有色版データとは別のプレーンで生成される。また、有色版データ、光沢制御版データ、クリア版データの各形式は、ＰＤＦ（Portable  Document  Format）形式が用いられるが、各版のＰＤＦの画像データを統合して原稿データとして生成される。なお、各版の画像データのデータ形式は、ＰＤＦに限定されるものではなく、任意の形式を用いることができる。
【００３０】
ここで、ホスト装置１０の画像処理アプリケーションは、ユーザが指定した表面効果の種類を、濃度値に変換して、光沢制御版データを生成する。かかる変換は、ホスト装置１０の記憶部に予め記憶された濃度値選択テーブルを参照して行われる。濃度値選択テーブルは、表面効果の種類と、当該表面効果の種類に対応する光沢制御版の濃度値とを対応付けたテーブルデータである。図６は、濃度値選択テーブルの一例を示す図である。図６の例では、ユーザにより「ＰＧ」（鏡面光沢）が指定された領域に対応する光沢制御版の濃度値は「９８％」に相当する画素値であり、「Ｇ」（ベタ光沢）が指定された領域に対応する光沢制御版の濃度値は「９０％」に相当する画素値であり、「Ｍ」（網点マット）が指定された領域に対応する光沢制御版の濃度値は「１６％」に相当する画素値であり、「ＰＭ」（つや消し）が指定された領域に対応する光沢制御版の濃度値は「６％」に相当する画素値である。
【００３１】
この濃度値選択テーブルは、ＤＦＥ５０で記憶している表面効果選択テーブル（後述）の同一のデータであり、ホスト装置１０の制御部が所定のタイミングで表面効果選択テーブルを取得して、取得した表面効果選択テーブルから生成して（コピーして）記憶部に保存する。ここで、図６では、濃度値選択テーブルの例を簡略化して示しているが、実際は、濃度値選択テーブルは図１１の表面効果選択テーブルと同一のテーブルとなっている。なお、インターネット等のネットワーク上のストレージサーバ（クラウド）に表面効果選択テーブルを保存しておき、制御部が当該サーバから表面効果選択テーブルを取得して、取得した表面効果選択テーブルから生成（コピー）するように構成してもよい。ただし、ＤＦＥ５０で記憶している表面効果選択テーブルとホスト装置の記憶部に保存されている表面効果選択テーブルとは同じデータである必要がある。
【００３２】
具体的には、ホスト装置１０の画像処理アプリケーションは、図６に示す濃度値選択テーブルを参照しながら、ユーザにより所定の表面効果が指定された描画オブジェクトの濃度値（光沢制御値）を、当該表面効果の種類に応じた値に設定することで、光沢制御版データを生成する。例えばユーザにより、図２に示した有色版データである対象画像のうち、「ＡＢＣ」と表示される領域に「ＰＧ」、長方形の領域に「Ｇ」、円形の領域に「Ｍ」を与えることが指定された場合を想定する。この場合、ホスト装置１０は、濃度値選択テーブルを参照して、ユーザにより「ＰＧ」が指定された描画オブジェクト（「ＡＢＣ」）の濃度値を「９８％」に相当する画素値に設定し、「Ｇ」が指定された描画オブジェクト（「長方形」）の濃度値を「９０％」に相当する画素値に設定し、「Ｍ」が指定された描画オブジェクト（「円形」）の濃度値を「１６％」に相当する画素値に設定することで、光沢制御版データを生成する。ホスト装置１０で生成された光沢制御版データは、点の座標と、それを結ぶ線や面の方程式のパラメータ、および、塗り潰しや特殊効果などを示す描画オブジェクトの集合として表現されるベクタ形式のデータである。図４は、この光沢制御版データをイメージとして示した図であり、図７は、図４の光沢制御版データにおいて、描画オブジェクト、座標、濃度値との対応関係を示す図である。
【００３３】
ホスト装置１０は、光沢制御版データと、対象画像の画像データ（有色版データ）と、クリア版データとを統合した原稿データを生成する。
【００３４】
そして、ホスト装置１０は、この原稿データに基づいて印刷データを生成する。印刷データは、対象画像の画像データ（有色版データ）と、光沢制御版データと、クリア版データと、例えばプリンタの設定、集約の設定、両面の設定などをプリンタに対して指定するジョブコマンドとを含んで構成される。図８は、印刷データの構成例を概念的に示す模式図である。図８の例では、ジョブコマンドとして、ＪＤＦ（Job  Definition  Format）が用いられているが、これに限られるものではない。図８に示すＪＤＦは、集約の設定として「片面印刷・ステープル有り」を指定するコマンドである。また、印刷データは、PostScriptのようなページ記述言語（ＰＤＬ）に変換されてもよいし、ＤＦＥ５０が対応していれば、ＰＤＦ形式のままでもよい。
【００３５】
次に、ＤＦＥ５０の機能的構成について説明する。ＤＦＥ５０は、図９に例示されるように、レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７と、入力部５８と、表示部５９とを有する。レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７とは、ＤＦＥ５０の制御部が主記憶部や補助記憶部に記憶されている各種プログラムを実行することにより実現されるものである。ｓｉ１部５２、ｓｉ２部５４及びｓｉ３部５７はいずれも、画像データを分離する(separate)機能と、画像データを統合する（integrate）機能とを有するものである。
【００３６】
なお、これ以降、印刷データは、少なくとも有色版データを含んで構成され、光沢制御版データが含まれていない場合をあり得、かつクリア版データは含まれていない場合を例にあげて説明するが、印刷データにクリア版データを含む構成としてもよい。
【００３７】
入力部５８は、キーボードやマウス等の入力デバイスである。入力部５８は、ユーザからの各設定（印刷設定、印刷開始／取り消し）の入力を受け付ける。表示部５９は、ディスプレイ装置等の表示デバイスである。表示部５９は、ユーザへの印刷設定等の表示を行う。
【００３８】
レンダリングエンジン５１には、ホスト装置１０から送信された印刷データ（図８に示した印刷データ）が入力される。レンダリングエンジン５１は、入力された画像データを言語解釈して、ベクタ形式で表現される画像データをラスタ形式に変換すると共に、ＲＧＢ形式等で表現された色空間をＣＭＹＫ形式の色空間に変換して、ＣＭＹＫの各８ビットの有色版データ及び８ビットの光沢制御版データを出力する。ｓｉ１部５２は、ＣＭＹＫの各８ビットの有色版データをＴＲＣ５３に出力し、８ビットの光沢制御版データをクリアプロセッシング５６に出力する。ここで、ＤＦＥ５０は、ホスト装置１０から出力されたベクタ形式の光沢制御版データをラスタ形式の光沢制御版データに変換し、この結果、ＤＦＥ５０は、ユーザが画像処理アプリケーションにより指定した描画オブジェクトに対する表面効果の種類を、画素を単位として濃度値として設定して光沢制御版データを出力する。
【００３９】
ＴＲＣ５３には、ｓｉ１部５２を介してＣＭＹＫの各８ビットの画像データが入力される。ＴＲＣ５３には、入力された画像データに対してキャリブレーションにより生成された１Ｄ＿ＬＵＴのガンマカーブでガンマ補正を行う。画像処理としては、ガンマ補正の他にトナーの総量規制等がある。総量規制とは記録媒体上の１画素において、プリンタ機７０でのせることが可能なトナー量に限界があるため、ガンマ補正後のＣＭＹＫ各８ビットの有色版データを制限する処理である。ちなみに、総量規制を越えて印刷した場合、転写不良や定着不良により画質が劣化してしまう。当実施例では関連するガンマ補正のみを取り上げて説明している。
【００４０】
ｓｉ２部５４は、ＴＲＣ５３でガンマ補正されたＣＭＹＫの各８ビットの有色版データを、インバースマスク（後述する）を生成するためのデータとしてクリアプロセッシング５６へ出力する。ハーフトーンエンジン５５には、ｓｉ２部５４を介してガンマ補正後のＣＭＹＫの各８ビットの有色版データが入力される。ハーフトーンエンジン５５は、入力された画像データをプリンタ機７０に出力するための、例えばＣＭＹＫの各２ビット等の有色版データのデータ形式に変換するハーフトーン処理を行い、ハーフトーン処理後のＣＭＹＫ各２ビット等の有色版データを出力する。なお、２ビットは一例であり、これに限定されるものではない。
【００４１】
クリアプロセッシング５６には、レンダリングエンジン５１が変換した８ビットの光沢制御版データがｓｉ１部５２を介して入力されると共に、ＴＲＣ５３がガンマ補正を行ったＣＭＹＫの各８ビットの有色版データがｓｉ２部５４を介して入力される。
【００４２】
図１０は、クリアプロセッシング５６の機能的構成を示すブロック図である。クリアプロセッシング５６は、図１０に示すように、表面効果選択テーブル記憶部５６１と、光沢制御版記憶部５６２と、クリアトナー版生成部５６３と、用紙情報取得部５６５と、定着条件判定部５６４と、入出力制御部５６７とを主に備えている。
【００４３】
定着条件判定部５６４は、ユーザが入力する印刷設定および用紙情報記憶部５６５が記憶する用紙情報から印刷用紙に対するトナーの定着条件を決定する。
【００４４】
表面効果選択テーブル記憶部５６１には、表面効果選択テーブルが記憶される。光沢制御版記憶部５６２は、ｓｉ１部５２から入力された８ビットの光沢制御版データが記憶される。
【００４５】
クリアトナー版生成部５６３は、ｓｉ１部５２から入力され、光沢制御版記憶部５６２に記憶された光沢制御版データを用いて、表面効果選択テーブル記憶部５６１の表面効果選択テーブルおよび定着条件判定部５６４からの定着条件を参照してクリアトナー版を生成する。具体的には、クリアトナー版生成部５６３は、光沢制御版データを構成する各画素の表す濃度値（画素値）に対する表面効果を判断する。そして、クリアトナー版生成部５６３は、当該判断に応じて、グロッサ８０のオン又はオフを決定すると共に、入力されたＣＭＹＫの各８ビットの有色版データを用いてインバースマスクやベタマスクを適宜生成することにより、クリアトナーを付着させるための２ビットのクリアトナー版データを適宜生成する。そして、クリアトナー版生成部５６３は、表面効果の判断の結果に応じて、プリンタ機７０で用いるクリアトナー版データと、低温定着機９０で用いるクリアトナー版データとを適宜生成してこれらを出力すると共に、グロッサ８０のオン又はオフを示すオンオフ情報を出力する。
【００４６】
ここで、インバースマスクとは、表面効果を与える対象の領域を構成する各画素上のＣＭＹＫのトナー及びクリアトナーを合わせた総付着量が均一になるようにするためのものである。具体的には、ＣＭＹＫ版の画像データにおいて当該対象の領域を構成する画素の表す濃度値を全て加算し、その加算値を所定値から差し引いた画像データがインバースマスクとなる。例えば、上述のインバースマスク１は以下の式１で表される。
【００４７】
Ｃｌｒ＝１００−（Ｃ＋Ｍ＋Ｙ＋Ｋ）  但し、Ｃｌｒ＜０となる場合、Ｃｌｒ＝０
・・・(式１)
【００４８】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。
【００４９】
例えば、インバースマスクは、各画素にクリアトナーを均一に付着させるものであってもよい。この場合のインバースマスクは、ベタマスクともいい、以下の式２で表される。
Ｃｌｒ＝１００・・・(式２)
【００５０】
尚、表面効果を与える対象の画素の中でも、１００％以外の濃度率が対応付けられるものがあるようにしても良く、ベタマスクのパターンは複数有り得る。
【００５１】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００５２】
また、例えばインバースマスクは、最大面積率の網点が平滑性を律すると仮定した方法により求められるものであってもよい。この場合のインバースマスクは、例えば以下の式４で表される。
Ｃｌｒ＝１００−max（Ｃ，Ｍ，Ｙ，Ｋ）・・・(式４)
上記式４において、max（Ｃ，Ｍ，Ｙ，Ｋ）は、ＣＭＹＫのうち最大の濃度値を示す色の濃度値が代表値となることを示す。
【００５３】
要するに、インバースマスクは、上記式１〜式４の何れかの式により表されるものであればよい。
【００５４】
表面効果選択テーブル記憶部５６１に記憶されている表面効果選択テーブルについて説明する。表面効果選択テーブルは、表面効果を示す光沢制御値である濃度値と当該表面効果の種類の対応関係を示すと共に、これらと、画像形成システムの構成に応じた後処理機に関する制御情報と、プリンタ機７０で用いるクリアトナー版データ及び後処理機で用いるクリアトナー版データとの対応関係を示すテーブルである。
【００５５】
画像形成システムの構成は、様々に異なり得るが、本実施形態においては、プリンタ機７０に後処理機としてグロッサ８０及び低温定着機９０が接続される構成である。このため、画像形成システムの構成に応じた後処理機に関する制御情報とは、グロッサ８０のオン又はオフを示すオンオフ情報となる。また、後処理機で用いるクリアトナー版データとしては、低温定着機９０で用いるクリアトナー版データがある。
【００５６】
図１１は、表面効果選択テーブルのデータ構成を例示する図である。尚、表面効果選択テーブルは、異なる画像形成システムの構成毎に、後処理機に関する制御情報と、プリンタ機７０で用いるクリアトナー版１の画像データ及び後処理機で用いるクリアトナー版２の画像データと、濃度値及び表面効果の種類との対応関係を示すように構成され得るが、図１１では、本実施形態に係る画像形成システムの構成に応じたデータ構成を例示している。同図に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面効果及びベタ効果）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果が対応付けられている。
【００５７】
図１１の表面効果選択テーブルを例にあげてより具体的に説明すると、例えば、「２３８」〜「２５５」の画素値に対しては表面効果として鏡面光沢（PM:Premium  Gross）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。
【００５８】
また、「２１２」〜「２３２」の画素値に対しては、ベタ光沢(G:Gross)が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。
【００５９】
また、「２３」〜「４３」の画素値に対しては、網点マット(M:Matt)が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し(PM:Premium  Matt)が対応付けられており、このうち、「１」〜「７」の画素値、「８」〜「１２」の画素値及び「１３」〜「１７」の画素値の３つの範囲に対して各々異なるタイプのつや消しが対応付けられている。これらの同一の表面効果の異なるタイプはプリンタ機７０や低温定着機９０で使用するクリアトナー版データを求める式に違いがあり、プリンタ本体や後処理機の動作は同じである。尚、「０」の濃度値には、表面効果を与えないことが対応付けられている。
【００６０】
また、図１１には、画素値及び表面効果に対応して、グロッサ８０のオン又はオフを示すオンオフ情報と、プリンタ機７０で用いるクリアトナー版１の画像データ（図１のＣｌｒ−１）及び低温定着機９０で用いるクリアトナー版２の画像データの内容とが各々示されている。例えば、表面効果が鏡面光沢である場合、グロッサ８０をオンにすることが示されると共に、プリンタ機７０で用いるクリアトナー版１の画像データは、インバースマスクを表すものであり、低温定着機９０で用いるクリアトナー版２の画像データ（図１のＣｌｒ−２）は、ないことが示されている。当該インバースマスクは、例えば上述した式１により求められるものである。尚、図１１に示される例は、表面効果として鏡面効果が指定された領域が、画像データによって規定される領域全体に相当する場合の例である。表面効果として鏡面効果が指定された領域が、画像データによって規定される領域の一部に相当する場合の例については後述する。
【００６１】
また、濃度値が「２２８」〜「２３２」であり表面効果がベタ光沢である場合、グロッサ８０をオフにすることが示されていると共に、プリンタ機７０で用いるクリアトナー版１の画像データは、インバースマスク１であり、低温定着機９０で用いるクリアトナー版２の画像データは、ないことが示されている。
【００６２】
尚、当該インバースマスク１は、上記式１〜式４の何れかの式により表されるものであればよい。これはグロッサ８０がオフなので平滑化されるトナーの総付着量が異なるため、鏡面光沢により表面の凹凸が増え、その結果、鏡面光沢により光沢度が低いベタ光沢が得られる。また、表面効果が網点マットである場合、グロッサ８０をオフにすることが示されていると共に、プリンタ機７０で用いるクリアトナー版１の画像データは、ハーフトーン（網点）を表すものであり、低温定着機９０で用いるクリアトナー版２の画像データは、ないことが示されている。また、表面効果がつや消しである場合、グロッサ８０をオン又はオフのいずれにしても良いことが示されていると共に、プリンタ機７０で用いるクリアトナー版１の画像データはなく、低温定着機９０で用いるクリアトナー版２の画像データは、ベタマスクを表すものであることが示されている。当該ベタマスクは、例えば上述の式２により求められるものである。
【００６３】
図１０に戻り、用紙情報記憶部５６５は、各用紙の情報を用紙リストとして記憶する。図１２は、用紙リストの一例を示す図である。図１２に示すように、用紙リストには、「用紙名」、「用紙サイズ」、「紙厚」、「定着可能回数」等の用紙情報が登録されている。「定着可能回数」は、用紙に複数回定着可能な場合の回数である。
【００６４】
図１０に戻り、入出力制御部５６７は、表示部５９に対する印刷設定の入力画面等の各種画面の表示制御、および入力部５８からの印刷設定の入力画面を介した印刷設定等、各種指定の入力制御を行う。図１３は、印刷設定の入力画面の一例を示す図である。
【００６５】
印刷設定の入力画面は、図１３に示すように、印刷で優先する項目として、「画質優先」と「パフォーマンス優先」のいずれかをユーザに選択可能に表示されている。また、用紙毎に印刷設定を選択できるように印刷設定の入力画面を構成し、印刷設定の入力画面で設定された設定内容を、図１２に示す用紙リストの属性情報として記憶するように入出力制御部５６７を構成しても良い。
【００６６】
クリアプロセッシング５６のクリアトナー版生成部５６３は、上述にように、表面効果選択テーブルを参照して、光沢制御版データによって示される各画素値に対応付けられている表面効果を判断すると共に、グロッサ８０のオン又はオフを判断して、プリンタ機７０及び低温定着機９０でどのようなクリアトナー版データを用いるかを判断する。尚、クリアトナー版生成部５６３は、グロッサ８０のオン又はオフの判断を１ページ毎に行う。そして、上述したように、クリアトナー版生成部５６３は、当該判断の結果に応じて、クリアトナー版データを適宜生成してこれを出力すると共に、グロッサ８０に対するオンオフ情報を出力する。これにより、ユーザが意図した効果の光沢効果を有するクリアトナー版データが生成することになる。
【００６７】
図１０に戻り、ｓｉ３部５７は、ハーフトーン処理後のＣＭＹＫの各２ビットの画像データと、クリアプロセッシング５６が生成した２ビットのクリアトナー版データとを統合し、統合した画像データをＭＩＣ６０に出力する。尚、クリアプロセッシング５６は、プリンタ機７０で用いるクリアトナー版データ及び低温定着機９０で用いるクリアトナー版データのうち少なくとも一方を生成しない場合があるので、クリアプロセッシング５６が生成した方のクリアトナー版データがｓｉ３部５７で統合され、両方のクリアトナー版データをクリアプロセッシング５６が生成していない場合には、ｓｉ３部５７からはＣＭＹＫの各２ビットの画像データが統合された画像データが出力される。この結果、ＤＦＥ５０からは各々２ビットの４つ〜６つの画像データがＭＩＣ６０へ送り出されることになる。また、ｓｉ３部５７は、クリアプロセッシング５６が出力したグロッサ８０に対するオンオフ情報もＭＩＣ６０に出力する。
【００６８】
ＭＩＣ６０は、ＤＦＥ５０とプリンタ機７０とに接続される。ＭＩＣ６０は、後処理機として搭載されている装置構成を示す装置構成情報をＤＥＦ５０に出力する。また、ＭＩＣ６０は、色版の画像データ、クリアトナー版の画像データをＤＦＥ５０から受信して各画像データを対応する装置に振り分けるとともに、後処理機の制御を行う。より具体的には、ＭＩＣ６０は、図１４に例示されるように、ＤＦＥ５０から出力された画像データのうちＣＭＹＫの色版の画像データをプリンタ機７０に出力し、プリンタ機７０で用いるクリアトナー版の画像データがある場合にはこれもプリンタ機７０に出力し、ＤＦＥ５０から出力されたオンオフ情報を用いて、グロッサ８０をオン又はオフにして、低温定着機９０で用いるクリアトナー版の画像データがある場合にはこれを低温定着機９０に出力する。グロッサ８０はオンオフ情報によって定着を行う経路と行わない経路とを切り替えても良い。低温定着機９０はクリアトナー版の画像データの有無によってオン又はオフの切り替えやグロッサ８０と同様の経路の切り替えをしても良い。
【００６９】
また、図１４に示すように、プリンタ機７０、グロッサ８０、低温定着機９０からなる印刷装置３０は、記録媒体を搬送する搬送路を備えている。なお、プリンタ機７０は、詳細には、電子写真方式の複数の感光体ドラム、感光体ドラム上に形成されたトナー像を転写される転写ベルト、転写ベルト上のトナー像を記録媒体に転写する転写装置、及び記録媒体上のトナー像を該記録媒体に定着させる定着機を備える。記録媒体は、図示を省略する搬送部材によって搬送路を搬送されることで、プリンタ機７０、グロッサ８０、低温定着機の設けられている位置を、この順に搬送される。そして、これらの機器によって順次処理が行われて画像形成及び表面効果が付与された後に、図示を省略する搬送機構によって搬送路を搬送されて、印刷装置の外部へと排出される。
【００７０】
このため、ＤＦＥ５０から出力された画像データが、ＣＭＹＫの有色版データ及びクリアトナー版データを含む場合には、該有色版データによって特定される有色画像が記録媒体に有色トナーで形成されると共に、クリアトナー版データによって特定される種類の表面効果がクリアトナーで該記録媒体に付与され、クリアトナー版データによって特定される透明画像がクリアトナーで該記録媒体に形成される。すなわち、記録媒体には、用紙の種類に応じてユーザが意図した効果の光沢効果を有するクリアトナー版データに基づいた表面効果が、記録媒体に付与されることとなる。
【００７１】
次に、プリンタ機７０の機能的構成について説明する。図１５は、本実施形態のプリンタ機７０の機能的構成を示すブロック図である。本実施のプリンタ機７０は、図１５に示すように、用紙情報管理部３０１と、光沢度計測部３０２と、凹凸情報計測部３０３と、用紙情報記憶部３０４と、印刷部３０５とを主に備えている。
【００７２】
印刷部３０５は、用紙に画像データを印刷するエンジンである。
【００７３】
用紙情報記憶部３０４には、現在の印刷対象の用紙の用紙種類が記憶されている。また、用紙情報記憶部３０４には、光沢度計測部３０２で計測された用紙の光沢度、凹凸情報計測部３０３で計測された用紙の凹凸情報（平滑度）も記憶される。用紙の種類、用紙の光沢度、用紙の凹凸情報が用紙情報となる。用紙情報記憶部３０４は、ＨＤＤやメモリ等の記憶媒体である。
【００７４】
光沢度計測部３０２は、用紙情報管理部３０１からの計測指示を受けて、トレイ等に収容されている用紙の光沢度を計測し、計測された光沢度を用紙情報記憶部３０４に保存する。凹凸情報計測部３０３は、用紙情報管理部３０１からの計測指示を受けて、トレイ等に収容されている用紙の平滑度を計測し、計測された平滑度を用紙の凹凸情報として用紙情報記憶部３０４に保存する。なお、用紙の光沢度の計測手法、平滑度の計測手法については公知の手法を用いる。
【００７５】
用紙情報管理部３０１は、用紙情報記憶部３０４に記憶されている用紙情報を管理する。より具体的には、用紙情報管理部３０１は、ＭＩＣ６０を介してＤＦＥ５０から、平滑度の取得要求を受信した場合に、用紙情報記憶部３０４に記憶されている現在の印刷対象の用紙の平滑度をＭＩＣ６０を介してＤＦＥ５０に送信する。
【００７６】
次に、本実施形態に係る画像形成システムが行う光沢制御処理の手順について図１６を用いて説明する。ＤＦＥ５０がホスト装置１０から印刷データを受信すると（ステップＳ１１）、レンダリングエンジン５１は、これを言語解釈して、ベクタ形式で表現される画像データをラスタ形式に変換すると共に、ＲＧＢ形式で表現された色空間をＣＭＹＫ形式の色空間に変換して、ＣＭＹＫの各８ビットの有色版データ及び８ビットの光沢制御版データを得る（ステップＳ１２）。ここで、後述するように、印刷データに光沢制御版データが含まれていない場合もあり、このような場合には、ステップＳ１２の処理は行われない。
【００７７】
この光沢制御版データの変換処理では、図４の光沢制御版データ、すなわち、図７で示したような、描画オブジェクトごとに表面効果を特定する濃度値が指定された光沢制御版データを、描画オブジェクトを構成する画素ごとに濃度値が指定された光沢制御版データに変換する。
【００７８】
すなわち、レンダリングエンジン５１は、図７で示される光沢制御版データの描画オブジェクトに対応する座標の範囲の画素に対して、描画オブジェクトに対して設定された濃度値を付与することにより、光沢制御版データを変換する。これにより、光沢制御版データは、画素ごとに表面効果が設定された光沢制御版データに変換されることになる。
【００７９】
次に、８ビット光沢制御版データが出力されたら、ＤＦＥ５０のＴＲＣ５３は、ＣＭＹＫの各８ビットの有色版データに対してキャリブレーションにより生成された１Ｄ＿ＬＵＴのガンマカーブでガンマ補正を行い、ガンマ補正後のＣＭＹＫの各８ビットの有色版データをｓｉ２部５４を介してハーフトーンエンジン５５とクリアプロセッシング５６とに出力する。ハーフトーンエンジン５５はガンマ補正後の画像データに対して、プリンタ機７０に出力するためのＣＭＹＫ各２ビットの有色版データのデータ形式に変換するハーフトーン処理を行い、ハーフトーン処理後のＣＭＹＫの各２ビットの有色版データを得る（ステップＳ１３）。
【００８０】
そして、ＤＦＥ５０のクリアプロセッシング５６による画像処理が行われる（ステップＳ１４）。
【００８１】
次に、ステップＳ１４におけるクリアプロセッシング５６による画像処理の詳細について説明する。図１７は、クリアプロセッシング５６による画像処理の手順を示すフローチャートである。
【００８２】
まず、クリアプロセッシング５６は、受信した画像データ（印刷データ）に光沢制御版データが存在するか否かを確認する（ステップＳ６０１）。そして、画像データに光沢制御版データが存在する場合（ステップＳ６０１：Ｙｅｓ）、クリアトナー版生成部５６３は、用紙に表面効果を付与するためにクリアトナー版データを生成する第１クリアトナー版データ生成処理を行う（ステップＳ６０２）。第１クリアトナー版データ生成処理の詳細については後述する。
【００８３】
ステップＳ６０１で、画像データに光沢制御版データが存在しない場合（ステップＳ６０１：Ｎｏ）、クリアトナー版生成部５６３は、プリンタ機７０に印刷対象となる用紙の平滑度の取得要求を送信して、プリンタ機７０から印刷対象となる用紙の平滑度を取得する（ステップＳ６０３）。
【００８４】
クリアトナー版生成部５６３は、あらかじめ用紙の凹凸が大きいかどうかを判断するための閾値を保持している。ここで、平滑度が閾値以上の場合に、用紙の凹凸が大きいと判断される。クリアトナー版生成部５６３は、ステップＳ６０３で取得した平滑度が閾値以上かどうかを判定する（ステップＳ６０４）。用紙の平滑度が閾値以上の場合（ステップＳ６０４：Ｙｅｓ）、すなわち、用紙の凹凸が大きい場合、クリアトナー版生成部５６３は、用紙表面を平滑化するためにクリアトナー版データを生成する第２クリアトナー版データ生成処理を実行する（ステップＳ６０５）。第２クリアトナー版データ生成処理の詳細については後述する。
【００８５】
一方、ステップＳ６０３で取得した用紙の平滑度が閾値未満の場合（ステップＳ６０４：Ｎｏ）、すなわち、用紙の凹凸が小さい場合、クリアトナー版生成部５６３は、処理を終了する。
【００８６】
次に、ステップＳ６０２の第１クリアトナー版データ生成処理の詳細について説明する。第１クリアトナー版データ生成処理は、用紙に鏡面光沢等の表面効果を付与するためにクリアトナー版データを生成する処理である。図１８は、第１クリアトナー版データ生成処理の手順を示すフローチャートである。
【００８７】
クリアトナー版生成部５６３は、表面効果選択テーブル記憶部５６１から表面効果選択テーブルを取得する（ステップＳ７０１）。また、クリアトナー版生成部５６３は、入力された光沢制御版データを、光沢制御版記憶部５６２に保存する（ステップＳ７０２）。
【００８８】
次に、定着条件判定部５６４は、入出力制御部５６７からユーザによる印刷設定（「画質優先」または「パフォーマンス優先」）を取得し（ステップＳ７０３）、ユーザの印刷設定を判断する（ステップＳ７０４）。ユーザの印刷設定が「画質優先」の場合、定着条件判定部５６４は、用紙情報記憶部５６５の用紙リストから印刷用紙の用紙情報（用紙名・定着可能回数）を取得する（ステップＳ７０５）。
【００８９】
次に、定着条件判定部５６４は定着可能回数を判断する（ステップＳ７０６）。用紙の定着可能回数が「２回以上」の場合、定着条件判定部５６４は、クリアトナー版生成部５６３に判定結果（定着回数：２回以上）を通知する。クリアトナー版生成部５６３は、定着条件判定部５６４からの通知を受けると、光沢制御版データにグロス指定の領域が存在するかを確認する（ステップＳ７０７）。
【００９０】
ここで、光沢制御版データにおいて、ステップＳ７０１で取得した表面効果選択テーブルにおける、「鏡面光沢タイプＡ〜Ｃ」（グロッサーＯＮ／ＯＦＦ（オンオフ情報）が「オン（ＯＮ）」）に対応する濃度値（２３８〜２５５、濃度（％）＝９４％、９６％、９８％）が設定された領域が、グロス指定の領域である。このため、クリアトナー版生成部５６３は、光沢制御版データにおいて、当該濃度値が設定された領域がある場合に、光沢制御版データにグロス指定の領域が存在すると判断する。
【００９１】
光沢制御版データにグロス指定の領域が存在する場合（ステップＳ７０８：Ｙｅｓ）、クリアトナー版生成部５６３は、まず、「鏡面光沢タイプＡ〜Ｃ」に対応する濃度値が設定されたグロス指定の領域のみのクリアトナー版データを生成する（ステップＳ７０９）。このクリアトナー版データは、グロス指定の領域にクリアトナー像のみを形成するためのものである。その後、クリアトナー版生成部５６３は、グロス指定の領域とさらにグロス指定以外の領域を含んだクリアトナー版データを生成する（ステップＳ７１０）。クリアトナー版データは、用紙の全領域に、通常のトナー像を形成するためのものである。
【００９２】
このように、クリアトナー版生成部５６３が、ステップＳ７０９でグロス指定の領域のみのクリアトナー版データ、ステップＳ７１０でグロス指定以外の領域を含んだクリアトナー版データという２つのクリアトナー版データを生成しているのは、以下の理由による。
【００９３】
用紙にグロス処理による鏡面光沢の表面効果を施すためには、用紙表面が平滑である必要がある。プリンタ機７０は、ステップＳ７０９で生成されたグロス指定の領域のみのクリアトナー版データから、１回目の定着で、用紙においてグロスが付与される予定の領域に凹凸を吸収するためのクリアトナー像を形成することができる。そして、次に、プリンタ機７０は、このように用紙の凹凸が吸収されて平滑化されたグロスが付与される予定の領域に、ステップＳ７１０で生成された、グロス指定の領域とグロス以外の領域の双方を含むクリアトナー版データからクリアトナー像を形成するので、グロス処理による鏡面光沢の光沢度を向上させて、鏡面光沢の表面効果を施すことが可能となる。
【００９４】
すなわち、実施形態１では、用紙にグロスのように光沢度を上げる表面効果を施す指定の領域に対して、１回目の印刷でクリアトナーのみを定着させ、用紙表面の凹凸を吸収した後、２回目以降の印刷でクリアトナーおよび有色トナーを定着させており、これにより、用紙表面の凹凸が大きい場合でも、光沢度を上げている。このような印刷を、Ｎパス印刷と呼ぶ。
【００９５】
ステップＳ７０４に戻り、ユーザの印刷設定が「パフォーマンス優先」の場合、または、ステップＳ７０６で、用紙の定着可能回数が「１回」の場合、定着条件判定部５６４は、クリアトナー版生成部５６３に判定結果（定着回数：１回）を通知する。
【００９６】
クリアトナー版生成部５６３は、定着条件判定部５６４からの通知を受け、光沢制御版データと有色版データとからクリアトナー版データを生成する（ステップＳ７１１）。すなわち、クリアトナー版生成部５６３は、ステップＳ７０９とＳ７１０のように２つのクリアトナー版データを生成するのではなく、単一のクリアトナー版データを生成する。このクリアトナー版データは、用紙の全領域に、通常のトナー像を形成するためのものである。
【００９７】
また、ステップＳ７０８で、光沢制御版データにグロス指定の領域がない場合にも（ステップＳ７０８：Ｎｏ）、クリアトナー版生成部５６３は、光沢制御版データと有色版データとから単一のクリアトナー版データを生成する（ステップＳ７１１）。
【００９８】
クリアトナー版データの生成後、ｓｉ３部５７は、ステップＳ７０９、Ｓ７１０またはＳ７１１で生成したクリアトナー版データと、複数回定着するか否かを示す情報として複数回定着指定の情報（「オン（ＯＮ）」または「オフ（ＯＦＦ）」）をＭＩＣ６０経由でプリンタ機７０に送信する。
【００９９】
ここで、ｓｉ３部５７は、ユーザからの印刷設定が「画質優先」、かつ印刷用紙の定着可能回数が「２回以上」の場合、複数回定着指定を「オン（ＯＮ）」に設定する。また、ｓｉ３部５７は、ユーザからの印刷設定が「パフォーマンス優先」、またはユーザからの印刷設定が「画質優先」で印刷用紙の定着可能回数が「１回」の場合、複数回定着指定を「オフ（ＯＦＦ）」に設定する。
【０１００】
次に、ステップＳ６０５の第２クリアトナー版データ生成処理の詳細について説明する。第２クリアトナー版データ生成処理は、用紙を平滑化させるためにクリアトナー版データを生成する処理である。図１９は、第２クリアトナー版データ生成処理の手順を示すフローチャートである。
【０１０１】
まず、定着条件判定部５６４は、入出力制御部５６７からユーザによる印刷設定を取得し（ステップＳ８０３）、取得したユーザの印刷設定を判断する（ステップＳ８０４）。ユーザの印刷設定が「画質優先」の場合、定着条件判定部５６４は、用紙情報記憶部５６５の用紙リストから印刷用紙の用紙情報（用紙名・定着可能回数）を取得する（ステップＳ８０５）。
【０１０２】
次に、定着条件判定部５６４は、ステップＳ８０５で取得した定着可能回数を判断する（ステップＳ８０６）。用紙の定着可能回数が「２回以上」の場合、定着条件判定部５６４は、クリアトナー版生成部５６３に判定結果（定着回数：２回以上）を通知する。
【０１０３】
クリアトナー版生成部５６３は、定着条件判定部５６４からの通知を受けると、クリアトナー版データを生成する（ステップＳ８０７）。このクリアトナー版データは、後述するように、１回目の定着で用紙の凹凸を吸収するために使用される。
【０１０４】
ステップＳ８０４で、ユーザの印刷設定が「パフォーマンス優先」の場合、ステップＳ８０５からＳ８０７までの処理は行われずに、処理は終了する。また、ステップＳ８０６で定着可能回数が「１回」の場合、ステップＳ８０７の処理は行われずに、処理は終了する。
【０１０５】
クリアトナー版データ生成後、ｓｉ３部５７は、ステップＳ８０７で生成されたクリアトナー版データと、複数回定着するか否かを示す情報として、複数回定着指定の情報（オン（ＯＮ）またはオフ（ＯＦＦ））をＭＩＣ６０経由でプリンタ機７０に送信する。
【０１０６】
次に、プリンタ機７０による印刷処理について説明する。まず、第１クリアトナー版データ生成処理による表面効果を付与するためのクリアトナー版データが生成された場合の印刷処理について説明する。図２０は、表面効果を付与するためのクリアトナー版データが生成された場合の印刷処理の手順を示すフローチャートである。
【０１０７】
プリンタ機７０の印刷部３０５は、ＤＦＥ５０からの複数回定着指定の情報を確認する（ステップＳ９０１）。そして、複数回定着指定が「オン（ＯＮ）」の場合には（ステップＳ９０２：オン）、印刷部３０５は、まず、第１クリアトナー版データ生成処理のステップＳ７０９で生成された、グロス指定の領域のみのクリアトナー版データからクリアトナー像のみを生成し、生成したクリアトナー像を印刷用紙に定着させる（ステップＳ９０３）。この処理を行うことにより、グロス処理を施す領域に対して用紙の凹凸が吸収されるため、グロス処理による鏡面光沢の光沢度を向上することができる。
【０１０８】
そして、印刷部３０５は、有色版データと、第１クリアトナー版データ生成処理のステップＳ７１０で生成されたグロス指定の領域以外のクリアトナー版データに基づいてトナー像を形成し、形成したトナー像を印刷用紙に定着させる（ステップＳ９０４）。
【０１０９】
ステップＳ９０２に戻り、複数回定着指定が「オフ（ＯＦＦ）」の場合（ステップＳ９０２：オフ）、印刷部３０５は、ステップＳ９０３のような用紙の凹凸の吸収は行わずに、有色版データと、第１クリアトナー版データ生成処理のステップＳ７１１で生成されたクリアトナー版データからトナー像を形成し、形成されたトナー像を印刷用紙に定着させる（ステップＳ９０５）。
【０１１０】
次に、第２クリアトナー版データ生成処理による用紙表面の平滑化のためのクリアトナー版データが生成された場合の印刷処理について説明する。図２１は、用紙表面の平滑化のためのクリアトナー版データが生成された場合の印刷処理の手順を示すフローチャートである。
【０１１１】
プリンタ機７０の印刷部３０５は、ＤＦＥ５０からの複数回定着指定の情報を確認する（ステップＳ１００１）。そして、複数回定着指定が「オン（ＯＮ）」の場合には（ステップＳ１００２：オン）、印刷部３０５は、まず、第２クリアトナー版データ生成処理のステップＳ８０７で生成されたクリアトナー版データからクリアトナー像を生成し、生成されたクリアトナー像を印刷用紙に定着させる（ステップＳ１００３）。この処理を行うことにより、用紙表面を平滑化することができる。
【０１１２】
そして、印刷部３０５は、有色版データから形成したトナー像を印刷用紙に定着させる（ステップＳ１００４）。
【０１１３】
ステップＳ１００２に戻り、複数回定着指定が「オフ（ＯＦＦ）」の場合（ステップＳ１００２：オフ）、印刷部３０５は、有色版データから形成したトナー像のみを印刷用紙に定着させる（ステップＳ１００５）。
【０１１４】
このように本実施形態では、グロスのように光沢度を上げる表面効果を施す指定の領域に対して、１回目の印刷でクリアトナーのみを定着させ、用紙表面の凹凸を吸収した後、２回目以降の印刷でクリアトナーおよび有色トナーを定着させるＮパス印刷を行っているので、用紙表面の凹凸が大きい場合でも、光沢度を上げて、ユーザが意図する表面効果を得ることができる。また、本実施形態では、光沢度を上げる表面効果を施す指定の領域がない場合でも、用紙表面の凹凸が大きい場合に用紙表面の凹凸を平滑化することができる。
【０１１５】
（実施形態２）
実施形態１では、用紙にグロスのように光沢度を上げる表面効果を施す指定の領域に対して、１回目の印刷でクリアトナーのみを定着させ、用紙表面の凹凸を吸収した後、２回目以降の印刷でクリアトナーおよび有色トナーを定着させることで、用紙表面の凹凸が大きい場合でも、光沢度を上げて、ユーザが意図する表面効果を得ている。しかし、プリンタ機７０の電源オン時や、省エネルギーモードからの復帰時等、ウォームアップ処理が発生する際のＮパス印刷において、低温定着機９０等の定着装置がクリアトナーの定着可能温度に達した場合でも、有色トナーの定着可能温度に達していない場合は、有色トナーが定着可能な温度になるまで印刷が開始されず、印刷に時間を要してしまう。また、印刷に時間を要してしまう結果、消費電力が大きくなる。
【０１１６】
このため、実施形態２では、ウォームアップが発生する際のＮパス印刷に際して、光沢度を上げる表面効果を施す領域に対して、低温定着機９０等の定着装置がクリアトナーの定着可能温度に達した時点で、１回目の印刷として、クリアトナーを定着させることで、全体の印刷時間の短縮化を図るとともに、印刷処理に要する消費電力を削減している。
【０１１７】
本実施形態の画像形成システムの構成、ホスト装置１０の構成、印刷装置３０の構成は実施形態１と同様である。なお、印刷装置３０には定着装置として低温定着機９０を備えているが、これ以外の定着装置を用いることもできる。以下、低温定着機９０等の定着装置を総称して定着装置と呼ぶ。
【０１１８】
また、本実施形態における、光沢制御版データ、有色版データ、クリア版データ、印刷データ（画像データ）についても実施形態１と同様である。
【０１１９】
図２２は、実施形態２にかかるＤＦＥ２２５０の機能的構成を示すブロック図である。本実施形態のＤＦＥ２２５０は、図２２に例示されるように、レンダリングエンジン５１と、ｓｉ１部５２と、ＴＲＣ５３と、ｓｉ２部５４と、ハーフトーンエンジン５５と、クリアプロセッシング５６と、ｓｉ３部５７と、入力部５８と、表示部５９と、出力制御部２２５１と、定着温度取得部２２５２と、課金算出部２２５３とを有する。レンダリングエンジン５１と、ｓｉ１部５２と、ＴＲＣ５３と、ｓｉ２部５４と、ハーフトーンエンジン５５と、クリアプロセッシング５６と、ｓｉ３部５７と、入力部５８と、表示部５９とは、実施形態１と同様の構成を有する。なお、本実施形態では、印刷データには光沢制御版データが含まれることを前提とする。
【０１２０】
レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７、出力制御部２２５１と、定着温度取得部２２５２と、課金算出部２２５３とは、ＤＦＥ２２５０の制御部が主記憶部や補助記憶部に記憶されている各種プログラムを実行することにより実現されるものである。
【０１２１】
クリアプロセッシング５６の構成は、実施形態１と同様であるが、定着条件判定部５６４の機能が実施形態１から追加されている。本実施形態の定着条件判定部５６４は、実施形態１と同様に、ユーザが入力する印刷設定および用紙情報記憶部５６５が記憶する用紙情報から印刷用紙に対するトナーの定着条件を決定する他、さらに、出力制御部２２５１からの指令により、定着温度取得部２２５２で定着装置から取得した定着温度がクリアトナーの定着温度以上であるか否かを判定する。ここで、クリアトナーの定着可能温度は、クリアトナーの特性等に基づき予め定められている。
【０１２２】
また、定着条件判定部５６４は、出力制御部２２５１からの指令により、定着温度取得部２２５２で定着装置から取得した定着温度が有色トナーの定着温度以上であるか否かを判定する。ここで、有色トナーの定着可能温度は、有色トナーの特性等に基づき予め定められている。定着条件判定部５６４は、定着温度がクリアトナーの定着温度以上であるか否か、および定着温度が有色トナーの定着温度以上であるか否かの判定結果を、出力制御部２２５１に送出する。
【０１２３】
本実施形態のｓｉ３部５７は、クリアプロセッシング５６のクリアトナー版生成部５６３が図１８におけるステップＳ７０９で生成したグロス指定の領域のみのクリアトナー版データと、クリアトナー版生成部５６３が図１８におけるステップＳ７１０で生成したグロス指定の領域以外の領域を含むクリアトナー版データとを、クリアプロセッシング５６から取得する。そして、ｓｉ３部５７は、取得した二つのクリアトナー版データを出力制御部２２５１に送出する。また、ｓｉ３部５７は、クリアプロセッシング５６から複数回定着指定の情報（「オン（ＯＮ）」または「オフ（ＯＦＦ）」）を取得し、取得した複数回定着指定の情報を出力制御部２２５１に送出する。
【０１２４】
定着温度取得部２２５２は、出力制御部２２５１からの指令を受けて、定着装置から、定着装置の定着温度を取得する。
【０１２５】
出力制御部２２５１は、定着温度取得部２２５２で取得した定着装置の定着温度に基づいて、ｓｉ３部５７から入力したクリアトナー版データのＭＩＣ６０経由でのプリンタ機７０への出力を制御する。
【０１２６】
具体的には、出力制御部２２５１は、ｓｉ３部５７から取得した複数回定着指定の情報が複数回定着可能であり、かつ、定着条件判定部５６４から取得した判定結果が定着温度がクリアトナーの定着温度以上である場合に、ｓｉ３部５７から入力したクリアトナー版データのうち、グロス指定の領域のみのクリアトナー版データをＭＩＣ６０経由でプリンタ機７０に出力する。ここで、グロス指定の領域のみのクリアトナー版データは、光沢度を上げる表面効果を施す領域に対して１回目は用紙にクリアトナーのみを定着させるためのクリアトナー版データである。
【０１２７】
また、出力制御部２２５１は、さらに、定着条件判定部５６４から取得した判定結果が、定着温度が有色トナーの定着温度以上である場合に、グロス指定の領域以外の領域を含むクリアトナー版データをＭＩＣ６０経由でプリンタ機７０に出力する。ここで、グロス指定の領域以外の領域を含むクリアトナー版データは、２回目以降は有色トナーを定着させるためのクリアトナー版データである。
【０１２８】
課金算出部２２５３は、入力部５８から受信した課金設定情報に基づいて、出力制御部２２５１からの指示により、出力制御部２２５１に送出されたクリアトナー版データを用いた印刷に対する課金カウント処理を行う。
【０１２９】
入力部５８は、キーボードやマウス等の入力デバイスである。入力部５８は、ユーザからの各設定（印刷設定、課金設定、印刷開始／取り消し）の入力を受け付ける。表示部５９は、ディスプレイ装置等の表示デバイスである。表示部５９は、ユーザへの各設定（印刷設定、課金設定、１回目の印刷で出力した用紙のセット指示）の表示を行う。
【０１３０】
次に、以上のように構成された本実施形態の出力制御処理について説明する。なお、本実施形態では、光沢制御処理は図１６で説明した実施形態１と同様に行われる。また、クリアプロセッシング５６によるクリアトナー版データの生成処理は、図１７を用いて説明した実施形態１と同様に行われるが、本実施形態では印刷データに光沢制御版データが含まれているため、ステップＳ６０１においてＹｅｓと判断され、図１８に示す第１クリアトナー版データ生成処理が実行される。すなわち、光沢制御版データが印刷データに含まれない場合に実行される図１９に示す第２クリアトナー版データ生成処理は、本実施形態では実行されない。
【０１３１】
図２３、２４は、実施形態２の出力制御処理の手順を示すフローチャートである。まず、出力制御部２２５１は、クリアプロセッシング５６、ｓｉ３部５７から取得した複数回定着指定の情報を確認する（ステップＳ２３０１）。そして、出力制御部２２５１は、複数回定着指定の情報を判断し（ステップＳ２３０２）、複数回定着指定がオン（ＯＮ）の場合には、出力制御部２２５１は定着温度取得部２２５２に指示して、定着温度取得部２２５２は定着装置の定着温度を取得する（ステップＳ２３０３）。定着温度取得部２２５２は、取得した定着温度をクリアプロセッシング５６の定着条件判定部５６４に送出する。
【０１３２】
定着条件判定部５６４は、取得した定着温度が、予め定められたクリアトナーの定着可能温度以上であるか否かを判断する（ステップＳ２３０４）。そして、定着温度が、予め定められたクリアトナーの定着可能温度未満である場合には（ステップＳ２３０４：Ｎｏ）、ステップＳ２３０３の処理を繰り返す。
【０１３３】
一方、ステップＳ２３０４で、定着温度が予め定められたクリアトナーの定着可能温度以上である場合には（ステップＳ２３０４：Ｙｅｓ）、出力制御部２２５１は、ＭＩＣ６０を経由して印刷装置３０に、印刷属性情報とグロス指定の領域のみのクリアトナー版データを出力する（ステップＳ２３０５）。これにより、印刷装置３０により１回目の印刷が行われ、用紙のグロス指定の領域にクリアトナー像が形成され、グロス指定の領域における凹凸が平滑化される。
【０１３４】
そして、出力制御部２２５１は、表示部５９に、印刷用紙のセット指示画面を表示する（ステップＳ２３０６）。図２５は、実施形態２の印刷用紙のセット指示画面の一例を示す図である。印刷用紙のセット指示画面には、図２５に示すように、１回目のクリアトナーによる印刷で出力された用紙をトレイにセットする旨のメッセージが表示され、ＯＫボタンとキャンセルボタンのいずれかをユーザが押下して入力可能となっている。
【０１３５】
出力制御部２２５１は、入力部５８を介して、印刷用紙のセット指示画面からのユーザの入力内容を受信し（ステップＳ２３１１）、入力内容を判断する（ステップＳ２３１２）。そして、入力内容がキャンセルの場合には、処理はステップＳ２３１６に移行し、出力制御部２２５１は、２つのクリアトナー版データと有色版データを削除する（ステップＳ２３１６）。
【０１３６】
一方、ステップＳ２３１２において、入力内容がＯＫの場合には、出力制御部２２５１は定着温度取得部２２５２に指示し、定着温度取得部２２５２は定着装置の定着温度を取得する（ステップＳ２３１３）。定着温度取得部２２５２は、取得した定着温度をクリアプロセッシング５６の定着条件判定部５６４に送出する。
【０１３７】
定着条件判定部５６４は、取得した定着温度が、予め定められた有色トナーの定着可能温度以上であるか否かを判断する（ステップＳ２３１４）。そして、定着温度が、予め定められた有色トナーの定着可能温度未満である場合には（ステップＳ２３１４：Ｎｏ）、ステップＳ２３１３の処理を繰り返す。
【０１３８】
一方、ステップＳ２３０４で、定着温度が予め定められた有色トナーの定着可能温度以上である場合には（ステップＳ２３１４：Ｙｅｓ）、出力制御部２２５１は、ＭＩＣ６０を経由して印刷装置３０に、印刷属性情報とグロス指定の領域以外の領域を含むクリアトナー版データと有色版データを出力する（ステップＳ２３１５）。これにより、用紙には２回目の印刷が行われ、用紙にトナー像が形成される。
【０１３９】
そして、出力制御部２２５１は、２つのクリアトナー版データと有色版データを削除し（ステップＳ２３１６）、処理は終了する。
【０１４０】
ステップＳ２３０２に戻り、複数回定着指定がオフ（ＯＦＦ）の場合には、出力制御部２２５１は定着温度取得部２２５２に指示して、定着温度取得部２２５２は定着装置の定着温度を取得する（ステップＳ２３０７）。定着温度取得部２２５２は、取得した定着温度をクリアプロセッシング５６の定着条件判定部５６４に送出する。
【０１４１】
定着条件判定部５６４は、取得した定着温度が、予め定められた有色トナーの定着可能温度以上であるか否かを判断する（ステップＳ２３０８）。そして、定着温度が、予め定められた有色トナーの定着可能温度未満である場合には（ステップＳ２３０８：Ｎｏ）、ステップＳ２３０７の処理を繰り返す。
【０１４２】
一方、ステップＳ２３０８で、定着温度が予め定められた有色トナーの定着可能温度以上である場合には（ステップＳ２３０８：Ｙｅｓ）、出力制御部２２５１は、ＭＩＣ６０を経由して印刷装置３０に、印刷属性情報とグロス指定の領域以外の領域を含むクリアトナー版データと有色版データを出力する（ステップＳ２３０９）。これにより、用紙にはトナー像が形成される。
【０１４３】
そして、出力制御部２２５１は、クリアトナー版データと有色版データを削除し（ステップＳ２３１０）、処理は終了する。
【０１４４】
２つのクリアトナー版データと有色版データとを受信したプリンタ機７０で実行される印刷処理については、図２０を用いて説明した実施形態１の処理と同様に行われる。
【０１４５】
次に、本実施形態の課金処理について説明する。図２６は、実施形態２の課金設定画面の一例を示す図である。課金算出部２２５３は、初期設定等により、図２６の課金設定画面を表示部５９に表示する。ユーザは、この課金設定画面から、クリアトナー（平滑化）の課金設定として、「ＯＮ」と「ＯＦＦ」のうちのいずれかを選択することができ、かかる選択を入力部５８が受け付ける。課金設定画面において「ＯＮ」が選択されると、課金算出部２２５３は、印刷の際に用紙表面の凹凸を吸収する目的で使用されるクリアトナー像の形成、すなわち、ステップＳ２３０５によるグロス指定の領域のみのクリアトナー版データに基づくクリアトナー像の形成を課金対象に含めることができる。
【０１４６】
このように本実施形態によれば、ウォームアップが発生する際のＮパス印刷に際して、光沢度を上げる表面効果を施す領域に対して、低温定着機９０等の定着装置がクリアトナーの定着可能温度に達した時点で、１回目の印刷として、クリアトナーを定着させているので、全体の印刷時間の短縮化を図るとともに、印刷処理に要する消費電力を削減することができる。
【０１４７】
（実施形態３）
実施形態１では、ＤＦＥ５０にクリアプロセッシング５６を設け、ＤＦＥ５０で、クリアトナー版データの生成処理を行うように構成したが、これに限定されるものではない。
【０１４８】
すなわち、一の装置で行っていた複数の処理のいずれかを、一の装置とネットワークを介して接続する１以上の他の装置で行う構成にしてもよい。
【０１４９】
その一例として、実施形態３の画像形成システムでは、ＤＦＥの機能の一部を、ネットワーク上のサーバ装置上に実装している。
【０１５０】
図２７は、実施形態３に係る画像形成システムの構成を例示する図である。図２７に示すように、本実施形態の画像形成システムは、ホスト装置３０１０と、ＤＦＥ３０５０と、ＭＩＣ６０と、プリンタ機７０と、グロッサ８０と、低温定着機９０と、クラウド上のサーバ装置３０６０とを備えている。グロッサ８０や低温定着機９０等の後処理装置は、これらに限定されるものではない。
【０１５１】
本実施形態では、ホスト装置３０１０とＤＦＥ３０５０とがインターネット等のネットワークを介して、サーバ装置３０６０と接続された構成となっている。また、本実施形態では、実施形態１のホスト装置１０の各版データの生成処理を行うモジュールと、実施形態１のＤＦＥ５０のクリアプロセッシング５６，２４５６を、サーバ装置３０６０に設けた構成となっている。
【０１５２】
ここで、ホスト装置３０１０、ＤＦＥ３０５０、ＭＩＣ６０、プリンタ機７０、グロッサ８０、低温定着機９０の接続構成は、実施形態１と同様である。
【０１５３】
すなわち、具体的には、実施形態３では、ホスト装置３０１０とＤＦＥ３０５０とがインターネット等のネットワーク（クラウド）を介して、単一のサーバ装置３０６０に接続し、サーバ装置３０６０は版データ生成部３０６２、印刷データ生成部３０６３、クリアプロセッシング３０６６を設け、サーバ装置３０６０で、有色版データ、クリア版データおよび光沢制御版データの生成を行う版データ生成処理、印刷データの生成処理、クリアトナー版データの生成処理を行うように構成している。
【０１５４】
まず、サーバ装置３０６０について説明する。図２８は、実施形態３にかかるサーバ装置３０６０の機能的構成を示すブロック図である。サーバ装置３０６０は、図２８に示すように、記憶部３０７０と、版データ生成部３０６２と、印刷データ生成部３０６３と、クリアプロセッシング３０６６と、通信部３０６５とを主に備えている。
【０１５５】
記憶部３０７０は、ＨＤＤやメモリ等の記憶媒体であり、濃度値選択テーブル３０６９とを記憶している。濃度値選択テーブル３０６９は、図６を用いて説明した実施形態１の濃度値選択テーブル３０６９と同様である。
【０１５６】
通信部３０６５は、ホスト装置３０１０、ＤＦＥ３０５０との間で各種データや要求の送受信を行う。より具体的には、通信部３０６５は、ホスト装置３０１０から、画像指定情報および指定情報と、印刷データの生成要求とを受信し、生成された印刷データをホスト装置３０１０に送信する。また、通信部３０６５は、ＤＦＥ３０５０から、８ビットの光沢制御版の画像データと、８ビットの有色版の画像データと、クリアトナー版の生成要求とを受信し、生成されたクリアトナー版の画像データとオンオフ情報とをＤＦＥ３０５０に送信する。
【０１５７】
版データ生成部３０６２は、実施形態１のホスト装置１０と同様に、有色版データ、光沢制御版データ、クリア版データを生成する。
【０１５８】
本実施形態の印刷データ生成部１２３は、実施形態１のホスト装置１０と同様に、図８に示す印刷データを生成する。
【０１５９】
クリアプロセッシング３０６６は、実施形態１のＤＦＥ５０におけるクリアプロセッシング５６と同様の機能を有しており、その機能的構成は、図１０に示した機能的構成と同一である。
【０１６０】
次に、ＤＦＥ３０５０について説明する。図２９は、実施形態３のＤＦＥ３０５０の機能的構成を示すブロック図である。本実施形態のＤＦＥ３０５０は、レンダリングエンジン５１と、ｓｉ１部５２と、ＴＲＣ５３と、ｓｉ２部３０５４と、ハーフトーンエンジン５５と、ｓｉ３部５７とを主に備えている。ここで、レンダリングエンジン５１、ｓｉ１部５２、ＴＲＣ５３、ハーフトーンエンジン５５、ｓｉ３部５７の機能および構成については実施形態１のＤＦＥ５０と同様である。
【０１６１】
本実施形態のｓｉ２部３０５４は、ＴＲＣ５３によるガンマ補正後の８ビットの光沢制御版データと、ＣＭＹＫの８ビットの有色版データと、クリアトナー版の生成要求とを、サーバ装置３０６０に送信し、サーバ装置３０６０から、クリアトナー版データとオンオフ情報とを受信する。
【０１６２】
次に、以上のように構成された本実施形態に係る画像形成システムによる印刷処理に必要なクリアトナー版の生成処理ついて説明する。図２９は、実施形態３にかかるクリアトナー版の生成処理の全体の流れを示すシーケンス図である。
【０１６３】
まず、ホスト装置３０１０がユーザから画像指定情報および指定情報を入力し（ステップＳ３９０１）、画像指定情報および指定情報とともに印刷データ生成要求をサーバ装置３０６０に送信する（ステップＳ３９０２）。
【０１６４】
サーバ装置３０６０では、画像指定情報および指定情報とともに印刷データ生成要求を受信し、有色版の画像データ、光沢制御版の画像データ、クリア版の画像データをそれぞれ生成する（ステップＳ３９０３）。そして、サーバ装置３０６０は、これらの画像データから印刷データを生成し（ステップＳ３９０４）、生成した印刷データをホスト装置３０１０に送信する（ステップＳ３９０５）。
【０１６５】
ホスト装置３０１０では、印刷データを受信すると、この印刷データをＤＦＥ３０５０に送信する（ステップＳ３９０６）。
【０１６６】
ＤＦＥ３０５０では、印刷データをホスト装置３０１０から受信すると、印刷データを解析して、有色版の画像データ、光沢制御版の画像データ、クリア版の画像データを得て、これらの画像データに変換や補正等を行う（ステップＳ３９０７）。そして、ＤＦＥ３０５０は、有色版の画像データ、光沢制御版の画像データ、クリア版の画像データと、クリアトナー版生成要求とを、サーバ装置３０６０に送信する（ステップＳ３９０８）。
【０１６７】
次に、サーバ装置３０６０は、有色版データ、光沢制御版データ、クリア版データと、クリアトナー版生成要求とを受信すると、クリアプロセッシング３０６６による画像処理を行う（ステップＳ３９０９）。クリアプロセッシング３０６６による画像処理は、実施形態１の図１７の処理と同様に行われる。
【０１６８】
次に、サーバ装置３０６０は、クリアプロセッシング３０６６による画像処理により生成されたクリアトナー版データと複数回定着回数指定情報をＤＦＥ３０５０に送信する（ステップＳ３９１２）。
【０１６９】
これ以降のＭＩＣ６０、プリンタ機７０、グロッサ８０、低温定着機９０における処理については、実施形態１と同様に行われる。
【０１７０】
このように本実施形態では、有色版データ、光沢制御版データ、クリア版データ、印刷データおよびクリアトナー版データの生成を、クラウド上のサーバ装置３０６０で行っているので、実施形態１と同様の効果を奏する他、複数のホスト装置３０１０やＤＦＥ３０５０が存在する場合でも、濃度値選択テーブルや表面効果選択テーブルの変更等も一括して行うことができ、管理者の便宜となる。
【０１７１】
なお、本実施形態では、クラウド上の単一のサーバ装置３０６０に、版データ生成部３０６２、印刷データ生成部３０６３、クリアプロセッシング３０６６を設け、サーバ装置３０６０で、有色版データ、クリア版データおよび光沢制御版データの生成を行う版データ生成処理、印刷データの生成処理、クリアトナー版データの生成処理を行うように構成したが、これに限定されるものではない。
【０１７２】
例えば、クラウド上に２以上のサーバ装置を設け、上記各処理を、２以上のサーバ装置で分散させて実行するように構成してもよい。図３１は、クラウド上に２つのサーバ（第１サーバ装置３８６０と第２サーバ装置３８６１）を設けたネットワーク構成図である。図３１の例では、第１サーバ装置３８６０と第２サーバ装置３８６１とで、有色版データ、クリア版データおよび光沢制御版データの生成を行う版データ生成処理、印刷データの生成処理、クリアトナー版データの生成処理を分散して行うように構成する。
【０１７３】
例えば、第１サーバ装置３８６０に版データ生成部３０６２、印刷データ生成部３０６３を設け、第１サーバ装置３８６０で版データ生成処理、印刷データ生成処理を行うように構成し、第２サーバ装置３８６１にクリアプロセッシング３０６６を設け、第２サーバ装置３８６１で、クリアトナー版データ生成処理を実行するように構成することができる。なお、各処理の各サーバ装置への分散の形態はこれに限定されるものではなく、任意に行うことができる。
【０１７４】
すなわち、ホスト装置１０やＤＦＥ５０に最低限の構成を設ければ、版データ生成部３０６２、印刷データ生成部３０６３、クリアプロセッシング３０６６の一部または全部をクラウド上の一つのサーバ装置に集中して設けたり、複数のサーバ装置に分散させて設けたりすることは任意に行うことができる。
【０１７５】
言い換えると、上述の例のように、一の装置で行っていた複数の処理のいずれかを、一の装置とネットワークを介して接続する１以上の他の装置で行う構成にすることができる。
【０１７６】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０１７７】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０１７８】
また、実施形態３では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０１７９】
さらに、サーバ装置３０６０に、実施形態２のＤＦＥ２２５０における出力制御部２２５１、定着温度取得部２２５２、課金算出部２２５３を設けた構成としてもよい。
【０１８０】
上述した実施形態のホスト装置１０、３０１０、ＤＦＥ５０、２２５０、３０５０、サーバ装置３０６０、第１サーバ装置３８６０、第２サーバ装置３８６１のハードウェア構成について説明する。図３２は、ホスト装置１０、３０１０、ＤＦＥ５０、２２５０、３０５０、サーバ装置３０６０のハードウェア構成図である。ホスト装置１０、３０１０、ＤＦＥ５０、２２５０、３０５０、サーバ装置３０６０、第１サーバ装置３８６０、第２サーバ装置３８６１は、ハードウェア構成として、装置全体を制御するＣＰＵなどの制御装置２９０１と、各種データや各種プログラムを記憶するＲＯＭやＲＡＭなどの主記憶装置２９０２と、各種データや各種プログラムを記憶するＨＤＤなどの補助記憶装置２９０３と、キーボードやマウス等の入力装置２９０５と、ディスプレイ装置等の表示装置２９０４とを主に備えており、通常のコンピュータを利用したハードウェア構成となっている。
【０１８１】
上記実施形態のホスト装置１０、３０１０で実行される画像処理プログラム（画像処理アプリケーションを含む。以下同。）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０１８２】
また、上記実施形態のホスト装置１０、３０１０で実行される画像処理プログラムを、インターネット等のネットワークに接続されたコンピュータ上に格納し、ネットワーク経由でダウンロードさせることにより提供するように構成しても良い。また、上記実施形態のホスト装置１０で実行される画像処理プログラムをインターネット等のネットワーク経由で提供または配布するように構成しても良い。
【０１８３】
また、上記実施形態のホスト装置１０、３０１０で実行される画像処理プログラムを、ＲＯＭ等に予め組み込んでコンピュータプログタムプロダクトとして提供するように構成してもよい。
【０１８４】
上記実施形態のホスト装置１０、３０１０で実行される画像処理プログラムは、上述した各部（版データ生成部、印刷データ生成部、入力制御部、表示制御部）を含むモジュール構成となっており、実際のハードウェアとしてはＣＰＵ（プロセッサ）が上記記憶媒体から画像処理プログラムを読み出して実行することにより上記各部が主記憶装置上にロードされ、版データ生成部、印刷データ生成部、入力制御部、表示制御部が主記憶装置上に生成されるようになっている。
【０１８５】
また、上記実施形態のＤＦＥ５０、２２５０、３０５０で実行される印刷制御処理は、ハードウェアで実現する他、ソフトウェアとしての印刷制御プログラムで実現してもよい。この場合において、上記実施形態のＤＦＥ５０、２２５０、３０５０で実行される印刷制御プログラムは、ＲＯＭ等に予め組み込まれてコンピュータプログタムプロダクトとして提供される。
【０１８６】
上記実施形態のＤＦＥ５０、２２５０、３０５０で実行される印刷制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供するように構成してもよい。
【０１８７】
さらに、上記実施形態のＤＦＥ５０、２２５０、３０５０で実行される印刷制御プログラムを、インターネット等のネットワークに接続されたコンピュータ上に格納し、ネットワーク経由でダウンロードさせることにより提供するように構成しても良い。また、上記実施形態のＤＦＥ５０で実行される印刷制御プログラムをインターネット等のネットワーク経由で提供または配布するように構成しても良い。
【０１８８】
上記実施形態のＤＦＥ５０、２２５０、３０５０で実行される印刷制御プログラムは、上述した各部（レンダリングエンジン、ハーフトーンエンジン、ＴＲＣ、ｓｉ１部、ｓｉ２部、ｓｉ３部、クリアプロセッシング）を含むモジュール構成となっており、実際のハードウェアとしてはＣＰＵ（プロセッサ）が上記ＲＯＭから印刷制御プログラムを読み出して実行することにより上記各部が主記憶装置上にロードされ、レンダリングエンジン、ハーフトーンエンジン、ＴＲＣ、ｓｉ１部、ｓｉ２部、ｓｉ３部、クリアプロセッシングとして主記憶装置上に生成されるようになっている。
【０１８９】
また、上記実施形態のサーバ装置３０６０で実行される各データの生成処理は、ハードウェアで実現する他、ソフトウェアとしての生成プログラムで実現してもよい。この場合において、上記実施形態のサーバ装置３０６０で実行される生成プログラムは、ＲＯＭ等に予め組み込まれて提供される。
【０１９０】
上記実施形態のサーバ装置３０６０で実行される各データの生成処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供するように構成してもよい。
【０１９１】
さらに、上記実施形態のサーバ装置３０６０で実行される各データの生成処理プログラムを、インターネット等のネットワークに接続されたコンピュータ上に格納し、ネットワーク経由でダウンロードさせることにより提供するように構成しても良い。また、上記実施形態のサーバ装置３０６０で実行される各データの生成処理プログラムをインターネット等のネットワーク経由で提供または配布するように構成しても良い。
【０１９２】
上記サーバ装置３０６０で実行される各データの生成処理プログラムは、上述した各部（版データ生成部、印刷データ生成部、クリアプロセッシング）を含むモジュール構成となっており、実際のハードウェアとしてはＣＰＵ（プロセッサ）が上記ＲＯＭから生成プログラムを読み出して実行することにより上記各部が主記憶装置上にロードされ、版データ生成部、印刷データ生成部、クリアプロセッシングとして主記憶装置上に生成されるようになっている。
【０１９３】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０１９４】
上述した実施形態において、画像形成システムは、ホスト装置１０，３０１０、ＤＦＥ５０，２２５０，３０５０，ＭＩＣ６０、プリンタ機７０、グロッサ８０及び低温定着機９０を備えるように構成したが、これに限らない。例えば、ＤＦＥ５０、２２５０、３０５０、ＭＩＣ６０及びプリンタ機７０を一体的に形成して１つの画像形成装置として構成するようにしても良いし、更に、グロッサ８０及び低温定着機９０を備えた画像形成装置として形成するようにしても良い。
【０１９５】
上述した実施形態の画像形成システムにおいては、ＣＭＹＫの複数の色のトナーを用いて画像を形成するようにしたが、１色のトナーを用いて画像を形成するようにしても良い。
【０１９６】
なお、上述した実施形態のプリンタシステムは、ＭＩＣ６０を備えた構成としているが、これに限定されるものではない。上述したＭＩＣ６０が行う処理、機能をＤＦＥ５０等の他の装置にもたせて、ＭＩＣ６０を設けない構成としてもよい。
【符号の説明】
【０１９７】
１０，３０１０  ホスト装置
５０，２２５０，３０５０  ＤＦＥ
５１  レンダリングエンジン
５２  ｓｉ１部
５３  ＴＲＣ
５４，３０５４  ｓｉ２部
５５  ハーフトーンエンジン
５６，２４５６，３０６６  クリアプロセッシング
５７  ｓｉ３部
６０  ＭＩＣ
７０  プリンタ機
８０  グロッサ
９０  低温定着機
５６１  表面効果選択テーブル記憶部
５６２  光沢制御版記憶部
５６３  クリアトナー版生成部
５６７  入出力制御部
２２５１  出力制御部
２２５２  定着温度取得部
２２５３  課金算出部
３０６０  サーバ装置
３０６２  版データ生成部
３０６３  印刷データ生成部
３８６０  第１サーバ装置
３８６１  第２サーバ装置
【先行技術文献】
【特許文献】
【０１９８】
【特許文献１】特開２０１１−１５０１５８号公報
【特許文献２】特開２０１０−９１８１３号公報
【図１】
2014199410.tif 000003
【図２】
2014199410.tif 000004
【図３】
2014199410.tif 000005
【図４】
2014199410.tif 000006
【図５】
2014199410.tif 000007
【図６】
2014199410.tif 000008
【図７】
2014199410.tif 000009
【図８】
2014199410.tif 000010
【図９】
2014199410.tif 000011
【図１０】
2014199410.tif 000012
【図１１】
2014199410.tif 000013
【図１２】
2014199410.tif 000014
【図１３】
2014199410.tif 000015
【図１４】
2014199410.tif 000016
【図１５】
2014199410.tif 000017
【図１６】
2014199410.tif 000018
【図１７】
2014199410.tif 000019
【図１８】
2014199410.tif 000020
【図１９】
2014199410.tif 000021
【図２０】
2014199410.tif 000022
【図２１】
2014199410.tif 000023
【図２２】
2014199410.tif 000024
【図２３】
2014199410.tif 000025
【図２４】
2014199410.tif 000026
【図２５】
2014199410.tif 000027
【図２６】
2014199410.tif 000028
【図２７】
2014199410.tif 000029
【図２８】
2014199410.tif 000030
【図２９】
2014199410.tif 000031
【図３０】
2014199410.tif 000032
【図３１】
2014199410.tif 000033
【図３２】
2014199410.tif 000034